(57)【要約】      （修正有）【課題】容易に、確実に紙を引き出すことが出来、蓋の浮き上がりを止め、確実に切断出来るペーパーホルダーを提供する。【解決手段】蓋２の前方中央部に、切断歯１３の後に指先を入れて、ロール紙を押し下げる穴１２を明けたもので、ロール紙の上部中央部を指先で押し引き下げるので、効果的に、紙の先端を出せて、掴み易く引き出し易くした。また、蓋２の蝶番７，８の軸受け穴に、ブッシュを入れ、軸受け穴とブッシュとの摩擦力で、蓋２の動きを重くし、紙を切断しようと上方に持ち上げたときに、蓋２の前方に取り付けられている切断歯１３が浮き上がらず確実に切断出来るようにしたものである。【選択図】図４
0003150043.tif 000002
【実用新案登録請求の範囲】
【請求項１】
ペーペーホルダーの蓋の前方中央部に、指先を入れて、指先を少し前後出来る位の大きさの略楕円形の穴を明けたもので、該穴に指先を挿入して、ロール紙の上部を押し引き下げることで、ロール紙の先端切断面を少し出し、掴み易くしたペーパーホルダー。
【請求項２】
ペーパーホルダーの蓋の後方両側が、ホルダー本体の両側の後方上部に、蝶番結合されているペーパーホルダーに係り、蓋の軸受け穴に、円筒状ブッシュを挿入して軸受けとし、蓋の軸受け穴とブッシュの摺動面との摩擦力で、蓋が適度の力でよう動出来るようにしたペーパーホルダー。
【考案の詳細な説明】
【技術分野】
【０００１】  本発明は、ペーパーホルダーの上部に蓋が付き、該蓋の後方両側に蝶番を前方に切断歯を有するペーパーホルダーに関するものである。
【背景技術】
【０００２】  ヘーパーホルダーの上部の蓋の後方に蝶番を、前方に切断歯を有するものは、公知で一般的のものである。
しかしながら、装着されているロール紙を引き出し難く、切断し難いものがある。
【考案の開示】
【考案が解決しょうとする課題】
【０００３】  ペーパーホルダーに装着されているロール紙の先端切断面を引き出そうとするとき、切断歯が蓋の前端に取り付けられているので、切断面を少し引き出すため、前面を押し下げたり、下部を持ちあげるが、この時に、ロール紙の芯穴と受け軸に隙間があるため、揺れ動き、乱雑に破れることがあり、掴み引き出すことが難しいことがしばしばであった。
また、蓋を上げて、ロール紙の先端を掴むことが出来るがその都度、蓋を上げ下げする必要がある。
【０００４】  引き出された紙を切断するために、上方に引き上げたときに、自由に動く蓋のものは、紙と一緒に切断歯が持ちあがるために、蓋をおさえながら切断しなければならなかった。
また、蝶番部にバネを付け、常に、蓋をロール紙に押しつけている構造のものは、バネの力が弱ければ、紙と一緒に持ち上がり、強ければ、紙を引き出すときに重くなり、薄い紙のときは破れることがある。
また、蝶番部にバネを使用して、常に、蓋を押し下げているものは、蓋の上げ下げ時に、急激に動くので危険なような違和感がある。
【課題を解決するための手段】
【０００５】  本考案は、ペーパーホルダーの蓋の前方中央部に、略楕円形の穴を明け、該穴に指先を入れ、押し引き下げることで、蓋の前方先端部に取り付けられている切断歯の下に、切断された儘、隠れているロール紙の先端を少し引き出し掴み易くしたものである。該穴の形状は、円形、角型でも同じような効果がある。
【０００６】  ペーパーホルダーの蓋の後方両側に蝶番が取り付けられいる様式のもので、該蓋の蝶番の軸受け穴に、ゴム製の円筒状ブッシュを挿入し、フッシュはペーパーホルダー本体に固定したものである。蓋の軸受け穴の内面とブッシュの外周面との摩擦力で、蓋の動きが適度に重くなり、引き出した紙を上方に引き上げ切断しようとしたとき、蓋の先端に取り付けられている切断歯は、浮き上がらずに確実に切断出来るようにしたものである。
【発明の効果】
【０００７】  以上のように、蓋の前部先端に切断歯が取り付けられているペーパーホルダーで、蓋の前方中央部に、略楕円形の穴を明けることで、歯の裏に隠れている紙の先端を、該穴に指先を入れ引き下げることで、容易に、確実に引き出すことが出来るものである。
また、引き出した紙を切断しようと、上方に引き上げた時蓋の蝶番部の軸受け部に、ゴム製のブッシュを挿入することで、蓋の動きを重くして、蓋の浮き上がりを止め、確実に切断出来ることである。
【考案を実施するための最良の形態】
【０００８】  蓋の前方に取り付けられている切断歯の直後の中央部に、略楕円形の穴を明けたもので、指先を入れて、少し前後に動かせる程度の大きさの穴である。
また、蓋の後方両側に蝶番を取り付け、蓋の蝶番の軸受け穴に、ゴム製のブッシュを挿入し、軸受けとしたものである。
【実施例】
【０００９】  以下に、本発明に係るペーパーホルダーの実施例を図１乃至図４に基づいて説明する。実施例のペーパーホルダーの前方上方の斜め方向から見た斜視図を図１に示し、ロール紙を装着した斜視図を図２に示し、Ｕ字形の本体１の後方上部の両側内側に蝶番７、８にて、前方部が下方に折れまがっている曲面を有する蓋２の後方両側につがい結合されている。【００１０】  前方先端に、切断歯１３を取り付けている蓋２の前方中央部に略楕円形穴１２を明けたもので、該穴１２に、指を入れロール紙４の上部を押し回すことで、切断歯１３の下に隠れていたロール紙４の先端部３を少し押し出し、掴み引き出し易くしたものである。【００１１】  蓋２を上方に開けた状態のペーパーホルダーの正面から見たものを図３に示し、前方上方の斜め方向から見た斜視図を図４に示し、蝶番部７の部分拡大断面を図５に示す。【００１２】  蓋２の蝶番部７の軸受け穴１０に、円筒状ブッシュ１１を挿入し、ブッシュ１１は、ピン９にて、本体１に固定したもので、ブッシュ１１を軸とし、軸受け穴１０が摺動するようにして、摩擦力で蓋２の動きを重くしたものである。【００１３】  蓋２の動きを重くすることで、紙を切断しようと上方に引き上げた時、歯１３が浮き上がらず、確実に切断できる。
蓋２は、ロール紙を交換する時等は、上下させるたり、ロール紙が少なくなってくるにつれ、押しさげるが、適度の重さで動くようになっているので、好きな自由の位置に動かすことができるものである。
【図面の簡単な説明】
【００１４】
【図１】  本発明に係るペーパーホルダーの一例を示す前方上部斜め方向から見た斜視図である。
【図２】  本発明に係るペーパーホルダーにロール紙を挿入して、前方上部斜め方向から見た斜視図である。
【図３】  本発明に係るペーパーホルダーの蓋を開け、正面から見た正面図である。
【図４】  本発明に係るペーパーホルダーの蓋を開け、前方上部斜め方向から見た斜視図である。
【図５】  本発明に係るペーパーホルダーの蝶番部の拡大断面詳細図である。
【符号の説明】
【００１５】  １    ペーパーホルダーの本体
２    蓋
３    ロール紙の先端切断面
４    ロール紙
５、６  ロール紙の芯受け
７、８  蝶番部
９    ピン
１０    蓋の軸受け穴
１１    ブッシュ
１２    指入れ穴
１３    歯
【図１】
0003150043.tif 000003
【図２】
0003150043.tif 000004
【図３】
0003150043.tif 000005
【図４】
0003150043.tif 000006
【図５】
0003150043.tif 000007
【手続補正書】
【提出日】平成21年1月29日(2009.1.29)
【手続補正１】
【補正対象書類名】実用新案登録請求の範囲
【補正対象項目名】全文
【補正方法】変更
【補正の内容】
【実用新案登録請求の範囲】
【請求項１】
ペーパーホルダーの蓋の前方中央部に、略円形の穴を明けたもので、該穴に指先を挿入して、ロール紙の上部を押し引き下げることで、ロール紙の先端を少し出し、掴み易くした、ペーパーホルダー。
【請求項２】
ペーパーホルダーの蓋の後方両側が、ホルダー本体の両側の後方上部に、蝶番結合されているペーパーホルダーに係り、蓋の軸受け穴に、円筒状ブッシュを挿入して、軸受けとし、蓋の軸受け穴とブッシュの摺動面との摩擦力で、蓋が適度の力でよう動出来るようにした請求項１記載のペーパーホルダー。